(57)【要約】【課題】発熱パネルを作業性よく実結合するとともに、釘打ち禁止箇所に誤って釘を打つことを防ぐ床暖房パネルの接続構造を提供する。【解決手段】発熱体を組み込んだ発熱パネルを実結合させてなる床暖房パネルであって、上記発熱パネルＡの熱源接続部近傍の雄実２を断続的に切欠いて凸状部１を形成し釘打ちを不能とするとともに、隣り合う発熱パネルＡの外側面に設けられた凹溝３に嵌合して実結合される床暖房パネルの接続構造。好ましくは、上記発熱体が電気発熱体５であり、熱源接続部が電源接続部４とされる。【選択図】図２
2006220337.tif 000002
【特許請求の範囲】
【請求項１】
発熱体を組み込んだ発熱パネルを実結合させてなる床暖房パネルであって、上記発熱パネルの熱源接続部近傍の雄実を断続的に切欠いて凸状部を形成し釘打ちを不能とするとともに、隣り合う発熱パネルの外側面に設けられた凹溝に嵌合して実結合される床暖房パネルの接続構造。
【請求項２】
上記発熱体が電気発熱体であり、熱源接続部が電源接続部である請求項１に記載の床暖房パネルの接続構造。
【請求項３】
上記雄実を断続的に切欠いて設けられた凸状部が平面視略半円状の突起部である請求項１に記載の床暖房パネルの接続構造。
【請求項４】
上記凸状部に釘打ちを禁止するための表示がされた請求項１に記載の床暖房パネルの接続構造。
【発明の詳細な説明】
【技術分野】
【０００１】
本発明は、床暖房パネルの接続構造に関する。さらに詳しくは、電気発熱体等の熱源を組み込んだ床暖房パネルの実結合の構造に関する。
【背景技術】
【０００２】
従来、上記床暖房パネルの熱源として温水を用いる場合、下記特許文献１に示されるように、パネルに内蔵された温水パイプの配管接続作業を床上から行えるとともに、パネルの下地材への固定の際、パネル間送りパイプの釘打ちを防止するために雇い実を用いる技術が開示されている。一方、パネルに内蔵された電気発熱体への電源接続部についても、同様に施工の際に誤って釘を打つという問題がある。
【０００３】
本願図４は、電気発熱体５を組み込んだ公知の発熱パネルＢを示す斜視図である。本願図４に示すように、上記発熱パネルＢにおいては、電源接続部４はパネルの隅部で雄実２に沿って設けられることが多く、上記電源接続部４への釘打ちを防止するため、電源接続部４の近傍の雄実を除去し、釘打ちをできないように加工されている。この発熱パネルＢの雄実２を下地材７へ釘６で固定し、隣り合う発熱パネルＢの外側面に設けられた凹溝３を実結合させて公知の床暖房パネルとされている。
【特許文献１】特開２００１−６５８８７号公報（第１−４頁、第１図）
【発明の開示】
【発明が解決しようとする課題】
【０００４】
しかしながら、電源接続部４近傍の雄実を除去した状態では、長期使用による乾湿の繰り返しにより、発熱パネルＢの隅部において反りが発生するという問題がある。また、キャスタ等により過重な負荷が加えられると、凹みや破損を引き起こすという問題もある。本発明は、このような問題を解決するためになされたものであって、発熱体を組み込んだ発熱パネルを作業性よく実結合するとともに、釘打ち禁止箇所で誤って釘を打つことを防止し、強度に優れた床暖房パネルの接続構造を提供することをその課題とする。
【課題を解決するための手段】
【０００５】
上記課題を解決するために、本発明においては、つぎのような技術的手段を講じている。すなわち、本発明によれば、発熱体を組み込んだ発熱パネルを実結合させてなる床暖房パネルであって、上記発熱パネルの熱源接続部近傍の雄実を断続的に切欠いて凸状部を形成し釘打ちを不能とするとともに、隣り合う発熱パネルの外側面に設けられた凹溝に嵌合して実結合される床暖房パネルの接続構造が提供される。
【０００６】
上記発熱体を電気発熱体とし、熱源接続部を電源接続部とすることが好ましい。通常、上記電気発熱体としては線ヒータ、面ヒータ等が用いられ、サーモスタット、アルミ箔等と共に表面材と裏面材との間に配置される。
【０００７】
上記雄実を断続的に切欠いて設けられた凸状部が、その角を落とし平面視略半円状の突起部とされることが好ましい。さらに、この凸状部を着色し、あるいは凸状部に絵文字等で釘打ち禁止の表示をすることが好ましい。
【発明の効果】
【０００８】
請求項１に記載の発明は上記のとおりであり、発熱パネルの熱源接続部近傍の雄実を断続的に切欠いて凸状部を設けて釘打ちを不能とし、隣り合う発熱パネルの外側面に設けられた凹溝に嵌合して実結合可能とされているため、雄実を下地材に固定する際、誤って熱源接続部、例えば、電源接続部に釘を打ち込むことを防ぐとともに、実結合本来の強度を保持することができる。
【０００９】
上記発熱体を電気発熱体とし、熱源接続部を電源接続部とすることによりこの電源接続部近傍の発熱パネルの隅部における反りを防ぎ、キャスター等によるパネルの凹みや破損を防ぐことができる。
【００１０】
上記雄実を断続的に切欠いて設けられた凸状部の角を落とし平面視略半円状の突起部とすることにより、誤って釘を打ち込んでも突起部が壊れ、実質的に釘打ち不能とすることができる。さらに、上記凸状部に釘打ちを禁止するための表示をすることにより、作業者に釘打ち禁止を徹底することができる。
【発明を実施するための最良の形態】
【００１１】
以下、本発明の実施形態について図面を参照して、詳細に説明する。図１は、本発明の床暖房パネルの接続構造にかかる発熱パネルＡを示す部分平面図である。図１からよくわかるように、発熱パネルＡには電気発熱体５が組み込まれ、外側面に設けられた雄実２に沿う隅部には、電源接続部４が配置されている。また、図１によく示されているように、電源接続部４の近傍の雄実は断続的に切欠かれ、凸状部１が略等間隔で設けられている。このように、雄実２を凸状部１とすることにより、釘は非常に打ち込みにくくなり、誤って釘を打ち込むことを防止できる。
【００１２】
図２は上記した発熱パネルＡを釘６によって下地材７に固定し、雄実２を隣り合う発熱パネルＡの外側面に設けられた凹溝３に嵌合する状態を示す説明図である。図２から明らかなように、雄実２と凹溝３とを実結合することによって凸状部１も部分的に実結合し、実結合後は、電源接続部４の近傍の凹溝３を形成する上部突出部３１と下部突出部３２とはしっかりと補強される。その結果、凸状部１を嵌装することにより、実質的に実結合と同様な状態となり、反りの発生を防ぐとともに、凹みや破損を防ぐことができる。
【００１３】
図３は、図１に示す凸状部１の角を落とし、平面視略半円状の突起部１ａとした実施形態を示す部分平面図である。図３からよくわかるように、図１に示す凸状部１よりも、一段と釘を打ち込むことが困難となり、仮に誤って釘を打ち込んでも突起部１ａが壊れ、実質的に釘打ち不能とすることができる。さらに、上記凸状部１あるいは突起部１ａに絵文字等で釘打ちを禁止するための表示をすることも可能である。このようにすることにより、作業者に釘打ち禁止を徹底することができる。
【図面の簡単な説明】
【００１４】
【図１】本発明にかかる発熱パネルを示す部分平面図である。
【図２】本発明の発熱パネルを実結合する状態を示す説明図である。
【図３】図１に示す凸状部の角を落とし、平面視略半円状の突起部とした実施形態を示す部分平面図である。
【図４】公知の発熱パネルを示す部分斜視図である。
【符号の説明】
【００１５】
Ａ          本発明にかかる発熱パネル
Ｂ          公知の発熱パネル
１          凸状部
１ａ        突起部
２          雄実
３          凹溝
３１        上部突出部
３２        下部突出部
４          電源接続部
５          電気発熱体
６          釘
７          下地材
【図１】
2006220337.tif 000003
【図２】
2006220337.tif 000004
【図３】
2006220337.tif 000005
【図４】
2006220337.tif 000006